(57)【特許請求の範囲】
【請求項１】
発光手段（３）にエネルギーを供給するための装置であって、前記装置（２）は、異なる発光手段を使用するためにコンフィグレーション可能であり、コンフィグレーションは、装置（２）の二次側（８；７０；９０）の抵抗（１５）により選択可能であり、
装置（２）の一次側（７）と二次側（８；７０；９０）との間は、電気的に絶縁し、
前記一次側（７）は、少なくとも一つのスイッチ（２１，２２）及び制御装置（１４）を有し、
前記制御装置（１４）は、
抵抗（１５）に対応し、一次側（７）の動作段階中に検出され、測定量（ｉｓｎｓ）により、抵抗（１５）によって設定されたコンフィグレーションを同定するために、１つの動作段階において、少なくとも一つのスイッチ（２１，２２）のクロックスイッチングを達成するように構成されており、
別の動作段階において、同定され、設定された構成に応じて、装置（２）を制御する。
【請求項２】
装置（２）はさらに、前記動作段階において、前記抵抗（１５）が自動的に変圧器（２８、２９）の二次コイル（２９）から分離されるように構成されている請求項１に記載の装置。
【請求項３】
前記二次側（８；７０；９０）は、前記少なくとも１つのスイッチング手段（３６、３７、７５、８０）を含み、そのように構成されている少なくとも一つのスイッチング手段（３６、３７、７５、８０）のスイッチング状態は、前記動作段階と、別の動作段階で異なる請求項２に記載の装置。
【請求項４】
前記二次側（８；７０；９０）は、少なくとも一つのキャパシタ（７３、７８、９３）を備え、
少なくとも１つのスイッチング手段（７５、８０）を切り替えるために、前記二次コイル（２９）および少なくとも１つのスイッチング手段（７３、７８、９３）に接続されている請求項３に記載の装置。
【請求項５】
前記二次側（８；７０；９０）は、第１のスイッチング手段（３６；７５）を備え、前記装置（２）の出力（３５）に接続する第２のスイッチング手段（３７；８０）と、前記抵抗（１５）とは接続し、前記装置（２）は、第１のスイッチング手段（３６；７５）と前記第２のスイッチング手段（３７；８０）の両方が前記動作段階から別の動作段階に移行中に切り替えられるように構成されている請求項３または請求項４に記載の装置。
【請求項６】
前記制御装置（１４）は、接続部（４１）を備え、前記抵抗（１５）によって設定されたコンフィグレーションを同定するための動作段階の間に、前記接続部（４１）において入力信号（ｉｓｎｓ）を処理し、前記別の動作段階の間に、少なくとも一つの制御または調節機能を実現するために接続部（４１）における入力信号（ｉｓｎｓ）を処理するように構成されている前記いずれかの請求項に記載の装置。
【請求項７】
前記制御装置（１４）はさらに、前記動作段階中に前記接続部（４１）の入力信号（ｉｓｎｓ）に応じて、故障状態、特に過電流状態、を同定するように構成されている請求項６に記載の装置。
【請求項８】
前記装置（２）は、変圧器（２８，２９）と、変圧器（２８、２９）の一次コイル（２８）に接続されている制御装置（１４）の接続部（４１）とを備える請求項６または請求項７に記載の装置。
【請求項９】
前記測定量（ｉｓｎｓ）は、前記動作段階中の一次コイル（２８）内の電流のピーク値、特に動作段階中に一次コイル（２８）内の電流に対応する請求項８に記載の装置。
【請求項１０】
前記制御装置（１４）は、設定された設定に対応する、同定された、前記動作段階の間に予め設定された動作パラメータに応じて、及び対応しているさらなる動作パラメータに応じて、前記別の動作段階において、スイッチ（２１、２２）をクロック同期方式で切り替えるように構成されている前記いずれかの請求項に記載の装置。
【請求項１１】
前記装置（２）は、ＬＥＤ変換装置として構成され、前記ＬＥＤ変換装置の二次側（８；７０；９０）の前記抵抗（１５）は、複数の異なる抵抗値に手動で設定できる前記いずれかの請求項に記載の装置。
【請求項１２】
前記抵抗（１５）に設定することができる各抵抗値は、いくつかの異なる出力電流の一方及び／または複数の異なる出力電圧の一方及び／または前記装置（２）のいくつかの異なる出力電力のいずれかが割り当てられる請求項１１に記載の装置。
【請求項１３】
発光手段（３）にエネルギーを供給するための装置（２）を制御する方法であって、
前記装置（２）は、一次側（７）と二次側（８；７０；９０）間の電気的絶縁を有し、
前記二次側（８；７０；９０）は、前記装置（２）の動作のために異なるコンフィギュレーションを選択するための抵抗（１５）を有し、
前記方法は、動作段階中に前記一次側（７）上で測定量（ｉｓｎｓ）を検出し、前記測定量（ｉｓｎｓ）は、前記二次側（８；７０；９０）の前記抵抗（１５）に対応し、
検出された測定量（ｉｓｎｓ）に応じて、前記装置（２）の動作のための前記抵抗（１５）によって設定され、構成を同定し、さらに、別の動作段階において、同定し、設定した構成に応じて前記装置（２）を制御する。
【請求項１４】
前記抵抗（１５）は、前記動作段階の終了時に変圧器（２８、２９）の二次コイル（２９）から分離され、
前記発光手段（３）へのエネルギーの供給は、前記別の動作段階で始まる請求項１３に記載の方法。
【請求項１５】
前記動作段階の間に前記抵抗（１５）によって設定されたコンフィグレーションを同定するため、そして前記別の動作段階中に、少なくとも一つの制御または調節、特に故障状態を同定、するため、入力信号（ｉｓｎｓ）は、制御装置（１４）の接続部（４１）に供給され、評価される請求項１３または請求項１４に記載の方法。
【請求項１６】
請求項１〜１２のいずれか一項に記載の装置（２）を使用して実現される請求項１３〜１５のいずれかに記載の方法。
【発明の詳細な説明】
【技術分野】
【０００１】
本発明は、発光手段に電力を供給する装置及びそのような装置を操作する方法に関する。本発明は、特に、発光手段、特に、ＳＥＬＶ（「分離（絶縁）特別低電圧」または「安全特別低電圧」と呼ばれる装置を用い、１または複数の発光ダイオードを備える発光手段に、エネルギーを供給する装置または方法に関する。
【背景技術】
【０００２】
例えばＬＥＤ変換デバイスのような発光手段の操作装置は、発光手段に電気エネルギーを供給するために使用される。該当する電気回路は、この操作装置を備えている、例えば、入力電圧として供給される主電圧は、発光手段に特定の電圧、特定の電流または特定の電力として供給されるエネルギーを供給する。一般的に、異なる発光手段に適しているように、操作装置を構成することができることが望ましい。この目的のために、ユーザ定義のオプション設定では、操作装置を備えていて、例えば、異なる出力電流および／または出力および／または出力電圧との間で切り替えることができる。
【０００３】
比較的低電圧で比較的高い電圧と領域と領域との間のガルバニック絶縁されたエネルギー移動が起こり、安全上の理由から、発光手段のための操作装置は、電気的分離を有する。ガルバニック絶縁でのエネルギー移動は、トランスまたは他のトランス装置を用いることによって達成することができる。
【０００４】
このようなガルバニック絶縁または電気的分離は、安全上の理由のために、特定の電源電圧で、相対的に高い電源電圧領域からＳＥＬＶ領域を分離する、発光手段のための操作装置の場合にポテンシャル障壁またはＳＥＬＶ障壁が必要とされる。
【０００５】
安全上の理由から、操作装置のＳＥＬＶ領域内に提供されるエンドユーザによって設定することができ、少なくともそれらの要素のための必要があることが多い。
【０００６】
設定要素は、安全上の理由からＳＥＬＶ領域に設けられている場合は、ＳＥＬＶ領域は、ユーザが選択した設定を決定するための評価ロジックを対応することができる。この設定は、非ＳＥＬＶ領域で制御ロジックによって使用されるために、ＳＥＬＶ障壁を介してデジタルインタフェースを介して二次側ロジックにより転送することができる。すなわち、トランス装置の二次側に、ＳＥＬＶ領域におけるロジック対応の使用は、しかしながら、追加のコストおよび追加の複雑さに結びつく。
【０００７】
ＬＥＤモジュール自体が使用されるＬＥＤが属するクラスに関してシグネイチャとして機能する抵抗を持つことができる。抵抗は、ＬＥＤモジュールに組み込まれたロジックから読み取ることができ、ＬＥＤモジュールにおけるスイッチの駆動に使用される。ＬＥＤモジュールに組み込まれたロジックは、他のデバイスにデータをフィードバックするために、データインターフェースを有することができる。しかし、そのようなアプローチの場合、ＬＥＤモジュール、例えば、ＳＥＬＶ領域でシグネイチャを読み取るための適切なロジックを使用する必要がある。
【発明の概要】
【発明が解決しようとする課題】
【０００８】
上記の目的の観点で改良された装置および方法が必要とされている。特に、上記の目的の点で改善された装置および方法が必要である。
【０００９】
データインターフェースが提供されなくとも、例えば、異なる出力電流を、単純な操作で調節できる装置及び方法が必要とされている。
【課題を解決するための手段】
【００１０】
本発明は、装置及び独立請求項で指定された特徴を有する方法に従って特定される。従属請求項は、実施例を規定する。
【００１１】
一次側と二次側との間の電気的絶縁性があることを特徴とする本発明の典型的な実施形態によれば、発光手段にエネルギーを供給するための装置は、一次側と二次側を有する。一次側は、例えば、装置の非ＳＥＬＶ領域であってもよい。二次側は、装置のＳＥＬＶ領域とすることができる。抵抗は、二次側に設けられ、装置を操作するための多くの構成のいずれかを選択するために使用することができる。抵抗値の異なる複数の、例えば、可能な出力電流および／または操作装置の出力電力のうちの１つに割り当てることができる。ディップスイッチを作動させる、および／または電位差計を作動させることによって、例えば、対応する抵抗値を選択することにより、複数の構成の一つは、二次側のユーザ定義の方法で選択することができる。例えば、出力電流のうちの１つは、ユーザ定義された方法で選択することができる。
【００１２】
装置の一次側に設けられた制御装置は、一つに、一次側の測定点において検出された測定量に基づいて二次側に配置される抵抗によって設定された設定を同定する動作段階を有する。この目的のために、動作段階における制御装置は、クロック同期の方法で一次側の少なくとも一つのスイッチを切り替えることができる。有用な動作の間、一次側から二次側へエネルギーを転送するために使用され、変圧器は、このように二次側の抵抗を読み出すための転送装置としても用いることができる。
【００１３】
装置の場合には、二次側に設定された抵抗の同定は、非ＳＥＬＶ領域において、すなわち、一次側の測定点において検出された測定量に基づいて行われる。装置を制御し、非ＳＥＬＶ領域内に設けられた制御装置は、ユーザが特定の値、例えば、設定された二次側の抵抗を特定し、それに応じて装置を制御することができる。
【００１４】
典型的な実施形態による装置及び方法の場合には、ＳＥＬＶ障壁を介して設定された抵抗に関連するデジタルデータをフィードバックするために、二次側に設定された抵抗、および／または、二次側のロジック及び一次側の制御装置との間のデータインターフェース、を同定するための個別のロジックを提供する必要はない。
【００１５】
選択されたコンフィグレーションを同定するための、したがって抵抗を同定するための一次側で検出され測定量は、例えば、変圧器の一次コイルの電流またはこの電流のピーク値に比例することができる。この電流は、測定抵抗の両端の電圧降下を、スイッチをオフにする（ｔａｐ  ｏｆｆ）ことにより、例えば、さまざまな方法で検出することができる。
【００１６】
制御装置は、一次側で検出された測定量に基づいて二次側に設けられた抵抗によって設定されたコンフィギュレーションを同定すると、制御装置は、前記動作段階を開始することができる。別の動作段階では、制御装置は、二次側の抵抗によって設定されている構成に応じて、装置を制御する。例えば、制御装置は、選択されたコンフィギュレーションに割り当てられている特性は、動作パラメータの一群に基づいて、決定することができ、動作パラメータに応じて、一次側の要素を制御することができる。この場合、動作パラメータは、各二次側に設定された抵抗に割り当てられている所望の出力電流および／または所望の出力電力及び／または所望の出力電圧を提供するように設定されている。
【００１７】
装置は、二次側の抵抗は自動的に期間後の変圧器の二次コイルから切り離され、抵抗を介して二次コイルからの電流が流れないような方法で構成することができる。この装置は、抵抗値が対応して所定時間後に、トランスの二次コイルから自動的に切り離されるように構成することができる。二次コイルから二次側の抵抗を分離するために、所定時間後にオン状態からオフ状態に自動的に切り替えられる第一のスイッチ手段を提供することができる。その結果、抵抗がすでに次側制御装置による変圧器を介して読み出された後にもさらに動作段階における抵抗エネルギー損失の発生を回避することができる。
【００１８】
この装置は、発光手段に接続する装置の出力が、発光手段を介して二次コイルからの電流の流れが可能であるように経過した一回の動作段階のみに二次コイルに接続され、選択されたコンフィグレーションが同定されるように構成することができる。この装置は、自動的に所定時間後に、出力がトランスの二次コイルに接続されるように構成することができる。装置の出力における発光手段のエネルギーを提供するために、所定時間後にオフ状態からオン状態に自動的に切り替えられる第２のスイッチ手段を提供することができる。選択されたコンフィグレーションが決定される意図の動作段階中に発光手段を二次コイルに接続するために、変圧器を介して抵抗値の読み取りがより困難または歪む状況を回避することができる。
【００１９】
制御装置は、特性の一群に基づいて、選択されたコンフィグレーションに対応する装置の動作パラメータを決定することができる。制御装置は、例えば、テーブルのクエリを用いて変圧器の一次コイルの電流のピーク値に応じて、１つ以上の動作パラメータを決定することができる。この装置は、力率補正回路とハーフブリッジ駆動に共振コンバータを含むことができる。抵抗を介して選択されたコンフィグレーションに応じて制御装置によって決定された動作パラメータは、力率補正回路の少なくとも１つの動作パラメータを含むことができる。力率補正回路の少なくとも１つの動作パラメータは、時間（「Ｔｏｎの時間」）および／または力率補正回路の制御可能な電源スイッチのオフ時間（「Ｔｏｆｆの時間」）のスイッチング周波数を含むことができ。代替として、または加えて、制御装置は、抵抗を介して選択されたコンフィグレーションに応じて、力率補正回路の動作モードを選択することができる。例えば、力率補正回路は、このように、設定されたインピーダンス値に応じて制御することができるＣＣＭ（「連続モード」）オペレーション、ＢＣＭ（「境界導通モード」または「境界導通モード」）の操作またはＤＣＭ（「不連続モード」）力率補正回路の動作が使用される。抵抗を介して選択されたコンフィグレーションに応じて制御装置によって決定された動作パラメータは、共振コンバータの少なくとも１つの動作パラメータを含むことができる。共振コンバータの少なくとも１つの動作パラメータは、ハーフブリッジのスイッチのスイッチング周波数、オン時間（「Ｔｏｎの時間」）および／またはオフ時間（「Ｔｏｆｆの時間」）および／またはデッドタイムを含むことができその制御装置によって切り替えられる。代替として、または加えて、制御装置は、抵抗を介して選択されたコンフィグレーションに応じて、共振コンバータの動作モードを選択することができる。例えば、共振コンバータは、ハーフブリッジ内の両方のスイッチがある時間周期でオフ状態に切り替えられたままであるパルス動作をまたはハーフブリッジ駆動の非パルス動作、選択的に、設定された抵抗値に応じて、行うように制御することができる。
【００２０】
装置の異なる構成は、異なる出力電流に割り当てることができる。抵抗を介して選択されたコンフィグレーションに応じて、制御装置は、同定された抵抗値に割り当てられた出力電流が生成されるように装置を制御することができる。
【００２１】
二次側の抵抗は、ユーザにより機械的に作動可能である要素を含むことができる。例えば、抵抗はディップスイッチや個々の複数の抵抗が選択可能であるディップスイッチを複数備えることができる。これは、例えば、使用する設定可能な抵抗の別のタイプの摺動部材または回転ノブを使用して設定することができ、ポテンショメータでも可能である。
【００２２】
制御装置は、半導体集積回路、特に特定用途向け集積半導体回路（ＡＳＩＣ、“application-specific integrated circuit”）とすることができる。制御装置は、抵抗値を同定するための測定量が検出された一次側の測定点に接続された接続部を有することができる。制御装置の対応する接続は、動作段階での接続での入力信号が二次側の抵抗に情報を提供し、選択されたコンフィグレーションを決定するために、制御装置によって評価されるように構成することができる。制御装置の接続は、別の動作段階では、接続の入力信号をさらに制御または調節機能のために評価されるように構成することができる。例えば、情報はトランスの１次コイルを流れる電流に関連するおよび／またはそのような電流のピーク値に関連する入力信号としての接続が設けられている場合など、前記別の動作段階において、有用な動作中、すなわち入力信号は、過電流状態が同定された場合に選択的に故障除去を実現するために監視することができる。
【００２３】
発光手段のために動作する装置を制御するために使用される半導体集積回路は、多くの場合、コンバータ電流またはピーク電流を表す信号の入力を有している。典型的な実施形態による装置及び方法の場合、この入力は、選択されたコンフィグレーションが特定されることを意図された動作段階における一次側の測定により、二次側の抵抗値を同定することができる。それはさらに、半導体集積回路を接続部を備えるように対応する変更の必要はない。
【００２４】
装置は、発光手段のための操作装置であってもよい。この装置は、ＬＥＤ変換装置とすることができる。
【００２５】
装置は、これに接続された発光手段と、発光手段のための操作装置の組み合わせとすることができる。この装置は、ＬＥＤ変換装置及びこれに接続されたＬＥＤモジュールを含むことができる。二次側の抵抗は、ＬＥＤ変換装置の二次側またはＬＥＤモジュールを提供することができる。
【００２６】
さらなる典型的な実施形態による、照明システム、装置及びそれに接続された発光手段を含む指定されている。前記発光手段は、１つ以上の発光ダイオード（ＬＥＤ）を含むことができる。ＬＥＤは、無機および／または有機ＬＥＤを含むことができる。ＬＥＤは、ＬＥＤの変換装置とは別個に具現化されるＬＥＤモジュールに組み込むことができる。照明システムは、更に、ＬＥＤ変換装置に調光コマンドを通信したり、ＬＥＤ変換装置から送信された信号を評価するように構成された中央制御システムを含むことができる。
【００２７】
さらなる典型的な実施形態は、発光手段のための操作装置を制御する制御装置によれば、ＬＥＤ変換装置を制御するために、特に規定されている。制御装置は、装置の非ＳＥＬＶ領域において検出され測定量に対応する入力信号を受信するための接続部を備える。制御装置は、運転段階において受信される入力信号に応じて、装置の二次側に設定されている抵抗を同定するため、ユーザ定義された方法で選択されたコンフィグレーションを同定するように構成されている。例えば、このような動作段階は、ＬＥＤの変換装置の起動時の段階とすることができる。
【００２８】
制御デバイスは、制御装置は、故障状態、特に、過電流状態を検出するために同定され選択されたコンフィグレーションに応じて制御信号を制御する別の動作段階の接続での入力信号を監視し続けるように構成することができる。制御装置は、過電流状態が同定された場合、自動的に故障除去を実施するように構成することができる。
【００２９】
別の典型的な実施形態において、本発明はまた、発光手段にエネルギーを供給するための装置に関し、装置は、異なる発光手段のための使用するように構成可能であり、コンフィグレーションは、装置の出力に抵抗を介して選択可能であり、装置は、少なくとも１つのスイッチと制御装置を備えたＤＣ−ＤＣコンバータを有することを特徴とし、制御装置は、ＤＣ−ＤＣコンバータ内の作動段階中に検出された測定量に応じて抵抗によって確立したコンフィグレーションを識別するために、１つの動作フェーズにおいて、少なくとも一つのスイッチのクロックスイッチを行うために構成され、測定量は、抵抗に依存し、別の動作段階において、確立したコンフィグレーションに応じて装置を制御するために同定される。
【００３０】
典型的な実施形態と、それぞれの場合に達成される効果に応じて装置を作動させるための方法の構成は、それによって装置を参照して説明した構成に対応する。方法は、１つの典型的な実施形態に従った装置を使用して自動的に実施することができる。
【図面の簡単な説明】
【００３１】
本発明は、好ましい典型的な実施形態を用いて添付の図面を参照して以下でより詳細に説明する。
【図１】図１は、典型的な一実施形態による装置を備えた照明システムの概略図を示す。
【図２】図２は、典型的な一実施形態による装置の回路図を示している。
【図３】図３は、典型的な実施形態による装置の二次側の抵抗の実装を示す図である。
【図４】図４は、二次側の抵抗に対する、一次側の電流のピーク値の関係を示す。
【図５】図５は、さらなる典型的な実施形態による装置の回路図を示している。
【図６】図６は、典型的な一実施形態による方法のフローチャートを示す。
【図７】図７は、典型的な実施形態に従った装置で使用することができる制御装置のブロック図の実例を示している。
【図８】図８は、発光手段に接続されている典型的な実施形態に従った装置の二次側の部分の回路図を示す。
【図９】図９は、発光手段に接続されているさらなる典型的実施形態に従った装置の二次側の部分の回路図を示す。
【発明を実施するための形態】
【００３２】
これは、明示的に以下の説明では排除されないように以下に説明する様々な典型的な実施形態の特徴があれば互いに組み合わせることができる。
【００３３】
図１は、典型的な実施形態による操作装置２は、発光手段３にエネルギーを供給する照明システム１を示している。発光手段３は、無機および／または有機発光ダイオードであることができる発光ダイオード（ＬＥＤ）の複数を含むことができる。操作装置２は、ＬＥＤ変換装置として構成され、典型的な実施形態に従って発光手段に電力を供給するための装置の一実施形態であることができる。ＬＥＤ変換装置２は、抵抗値を複数のユーザに定義された方法で設定することができる抵抗１５を有する選択装置を介して、選択可能な電流強度で、定電流を出力するように構成することができる。ＬＥＤ変換装置２は、中央制御装置と通信するためのインタフェースを含むことができ、バス４へのインタフェースおよび／または出力のステータスメッセージを介してコマンドを受信するように構成することができる。
【００３４】
ＬＥＤ変換装置２は、非ＳＥＬＶ領域７及びＳＥＬＶ領域８が、ＳＥＬＶ障壁９によって分離されているＳＥＬＶ装置として構成することができる。これらは、電気的絶縁に対応している。非ＳＥＬＶ領域７及びＳＥＬＶ領域８は電気的に絶縁することができる。一次側、すなわち、非ＳＥＬＶ領域７は、ＡＣ−ＤＣコンバータ１０で構成することができる。ＡＣ−ＤＣコンバータ１０は、入力側の電源電圧に接続されるように構成することができる。ＡＣ−ＤＣコンバータ１０は、整流器と、力率補正（ＰＦＣ）回路を含むことができる。ＡＣ−ＤＣコンバータ１０は、入力側１１を有するＤＣ−ＤＣコンバータと、出力側１３そこから電気的に絶縁するバス電圧Ｖｂｕｓを提供する。ガルバニック絶縁は、変圧器１２または他の変換装置によって達成される。ＡＣ−ＤＣコンバータ１０は、ＤＣ−ＤＣコンバータに統合することができ、このＤＣ−ＤＣコンバータは、ＡＣ−ＤＣコンバータ１０の機能を引き受ける。ＤＣ−ＤＣコンバータは、この場合、入力電圧正弦波の振幅とＤＣ電圧を引き受ける。ＤＣ−ＤＣコンバータは、この場合、二次側へのエネルギー伝達の機能に加えて、力率補正の機能を実行するであろう、入力電圧の正弦波の振幅とＤＣ電圧を受け、二次側へのエネルギー伝達の機能に加えて、力率補正の機能を実行するであろう。この場合、整流器は、ＤＣ−ＤＣコンバータの上流の入力に接続することができる。
【００３５】
ＬＥＤ変換装置２は、制御装置１４を有している。制御装置１４は、半導体集積回路、特に、特定用途向け集積半導体回路（ＡＳＩＣ、「特定用途向け集積回路」）とすることができる。制御装置１４は、非ＳＥＬＶ領域７が、例えば一次側の一部として、設けられている。
【００３６】
ＬＥＤコンバータ装置２は、制御装置１４は、非ＳＥＬＶ領域７における測定点１６で検出され測定量に応じて二次側８に抵抗１５によって選択されたコンフィギュレーションを同定するように構成されている。離散的な抵抗値の複数の値は、例えば、異なる出力電流および／または出力パワーを割り当てることができ抵抗１５のために使用されることが可能である。
【００３７】
コントローラ１４は、抵抗１５を介して選択した構成に割り当てられている出力電流、出力電圧、および／または出力電力を介して選択されたコンフィギュレーション及び抵抗１５に対応して自動的にＬＥＤコンバータ装置２を制御する。
【００３８】
抵抗１５は、例えば、ディップ、手動調節を可能にするためにスイッチを含むことができる。抵抗１５を読み出すために、制御装置１４は、例えば、同様に抵抗１５を読み取るための変圧器を使用するために、入力側１１とＤＣ−ＤＣ変換器を駆動することができる。
ＬＥＤコンバータ装置２が起動されると、二次側にセットされた抵抗１５の同定は、一つの動作フェーズで選択的に実行することができる。有用な動作に対応する後に別の動作段階では、二次側８に抵抗１５が自動的にトランスから切り離すことができる。この別の動作段階において、制御装置１４は、エネルギーが発光手段３に提供されるようにＬＥＤ変換装置２を制御する。二次側８は、エネルギーだけ抵抗１５は、二次コイルから切り離されて選択的に発光手段３に供給されるように構成することができる。エネルギーが発光手段３に供給される、すなわち有用な動作中に、制御装置１４は、さらに、障害の同定を実現するために、測定点１６で検出された信号を監視することができる。
【００３９】
ＬＥＤコンバータ装置２の場合には、ＳＥＬＶ領域８内の二次側にセットされた抵抗１５の同定は、一次側７上の測定点１６で検出された測定量に応じて行われる。これは、ＳＥＬＶ領域８および／またはＳＥＬＶ障壁９を介して対応するデータを通信するためのデータインターフェースにセット抵抗１５を読み取るための別個のロジックを提供する必要はない。
【００４０】
典型的な実施形態による装置及び方法は、図２−９を参照してより詳細に説明する。
図２は、典型的な実施形態による装置２０の回路図を示す。装置２０は、一次側７と二次側８とを備える。一次側７と二次側８との間の電気的絶縁性がある。装置２０は、ＬＥＤ変換装置として構成することができる。二次側８にはＳＥＬＶバリア９によって一次側７から分離されたＳＥＬＶ領域とすることができる。一次コイル２８と二次コイル２９を有する変圧器を単離するために提供することができる。装置２０は、ＬＥＤ変換装置として構成することができる。二次側８にはＳＥＬＶバリア９によって一次側７から分離されたＳＥＬＶ領域とすることができます。装置２０は、他の成分（図２に示されていていない）、電源電圧とすることができるＡＣ電圧を整流する整流器、例えば、整流ＡＣ電圧を平滑化するための力率補正回路を備えることができる。
【００４１】
操作装置の構成に応じて、一次側７は、別のコンポーネント、フルブリッジ又はハーフブリッジ駆動に例えば共振形コンバータを備えることができる。共振コンバータは、例えば、例えばＬＬＣ共振回路用のハーフブリッジに接続された共振回路を有するハーフブリッジ回路１９を含むことができる。その他の構成は、例えば、フルブリッジ回路または共振回路なし変換器の使用の使用も可能である。エネルギーは、例えば、力率補正回路により提供することができる、電源電圧Ｖｂｕｓが、回路１９に供給される。動作中に、制御装置１４は、ハーフブリッジ回路１９のスイッチを制御することができる。この場合、各スイッチは、同じスイッチング周波数で、それぞれの場合に切り替えることができる。
制御装置１４は、ハーフブリッジ回路の第１スイッチ及び第２スイッチを、２つのスイッチの多くても１つはいつでもスイッチオンされるように制御する。ユーザ定義された方法で選択された異なる出力電流に対応するために、制御装置１４は、周波数に対応する伝達関数または利得の値を設定するために、例えば、スイッチング周波数を変更することができる。
【００４２】
二次側８は、例えば、第１のダイオード３１と第２のダイオード３２によって形成され、二次コイル２９の下流に接続された整流器を有することができる。二次コイル２９の中心は、二次側８の出力に接続することができる。二次コイル２９の両端には、ダイオード３１及び３２を介して出力３５に接続することができる。出力電流を平滑化するために、誘導性素子３３、例えばコイル、が出力３５に提供され得る。出力キャパシタ３４は、整流器の出力の間に接続することができる。
【００４３】
エンドユーザが設定可能な装置２０を作るために、抵抗１５は２次側に設けられており、装置２０の動作のための複数のコンフィグレーションから選択可能とするために、この抵抗は複数の異なる抵抗値をとり得る。
一般的には、制御装置１４は、少なくとも二つの異なる動作段階で装置を制御する。
【００４４】
一つの動作段階では、制御装置１４は、二次側に設定され、したがって、その後の有用な動作のために設定されているコンフィギュレーションを同定された抵抗１５を同定するために変圧器を使用する。この目的のために、制御装置１４は、予め設定された時、同期方式で、固定スイッチング周波数を回路１９の少なくとも一つのスイッチを切り替えることができる。このスイッチング周波数は、伝達関数が最大値を有する周波数に近づけることができる。このような動作段階のための他のパラメータは、例えば、時間と、制御装置１４により切り替えスイッチのオフ時間は、同様に固定値を予め設定することができる。制御装置は、この動作段階における一次側７上の測定点１６で検出された測定量に応じて二次側に設定されている抵抗１５を同定する。二次側８は、この動作段階で、発光手段３には電流が出力３５に提供されないように構成することができる。
【００４５】
抵抗１５を同定するために実行される動作段階では、変圧器の負荷は、複数の抵抗値の中から抵抗１５が設定された抵抗値に対応する。それに応じて、抵抗１５の抵抗値は、一次側７で検出され測定量に基づいて同定することができる。
例えば、一次コイル２８または一次コイル２８に流れる電流のピーク値を流れる電流ｉｓｎｓは測定量として使用することができる。この電流は、測定点１６での測定抵抗の両端の電圧降下として検出することができる。
【００４６】
抵抗１５によって設定されたコンフィギュレーション動作段階において同定、選択されたコンフィグレーションに応じて、制御装置１４は、その後、前記別の動作段階の動作パラメータを決定することができる。これらの動作パラメータは、特性の一群に基づいて決定することができる。特性の一群に基づいて決定された動作パラメータは、例えば、スイッチング周波数、オン時間（「Ｔｏｎの時間」）および／または回路１９内のスイッチのオフ時間（「Ｔｏｆｆの時間」）を含むことができる。
検出された測定量として評価されるような、さらなる測定量として、例えば、バス電圧Ｖｂｕｓも、加えるまたは代替することが可能である。例えば、バス電圧Ｖｂｕｓの現在の値は、スイッチ２２または一次コイル２８を通る電流及びバス電圧Ｖｂｕｓの現在値の情報により、一次コイル２８に流れる電流ｉｓｎｓ、または一次コイル２８に流れる電流のピーク値の評価においても考慮することができ、これは、電圧を掛けた電流が電力を与えるので、ＤＣ−ＤＣコンバータによって消費される電力に関する結論を出すことが可能である。
【００４７】
別の動作段階では、制御装置１４は、選択されたコンフィギュレーションに対応し得るスイッチング周波数で、回路１９において少なくとも一つのスイッチを制御する。コンフィグレーションに対応するスイッチング周波数を選択することにより、伝達関数に対応する周波数及び変圧器２８、２９の変換器のゲインは、設定できる。
【００４８】
例えば、制御装置１４によって切り替えられるスイッチのオン時間および／またはオフ時間のような、別の動作段階の別のパラメータは、同様に抵抗１５を介して設定したコンフィグレーションに応じて適宜選択することができる。二次側８は、この更なる動作段階で、それ以上負荷１５に流れる電流がない、ように構成することができる。
【００４９】
制御装置１４は、測定量ｉｓｎｓに応じて二次側８に、第１の動作段階において、抵抗１５を同定するための入力４１を有する。制御装置１４は、対応して設定された抵抗を同定するために、入力４１で受信された信号を評価することができる。これは、様々な方法で行うことができる。例えば、制御装置１４は、第１の動作段階が進行している間に、一次コイル２８の電流のピーク値を決定することができる。制御装置１４は、その後の別の動作段階中の制御装置１４の動作パラメータに基づいて、ピーク値に応じた特性の一群に基づいて動作パラメータを決定することができ、一次側のスイッチング素子の駆動を行う。二次側で設定された抵抗に応じて操作装置を制御するために、一次側で検出され測定量ｉｓｎｓに応じて少なくとも一つの更なる接続部４２を介して制御装置１４に制御信号を出力することができる。特に、制御装置１４は、抵抗１５、またはそれによって選択されたコンフィグレーションに割り当てられた出力電流および／または出力電力を二次側８の出力３５に提供するように、別の動作段階における一次側７の要素を制御することができる。
【００５０】
二次側にセットされた抵抗１５の同定は、装置２の起動時に、例えば、唯一の特定の動作段階または時間間隔で制御装置１４により選択的に行うことができる。
【００５１】
抵抗１５は、抵抗値を手動で設定可能とするために、１つ以上の機械的に作動可能な要素、例えばディップスイッチ、を含むことができる。
【００５２】
図３は、典型的な実施形態に従った装置の二次側に使用することができる抵抗１５の構成を示す図である。装置２の動作のために異なる構成を選択するために使用することができる抵抗１５は複数のディップスイッチ５１、５３、５５、５７で構成できる。
【００５３】
セレクタデバイスは、複数の異なる個別の抵抗５２、５４、５６、５８を含むことができ、個別の抵抗の各々は、ディップスイッチ５７、５１、５３、５５の一つと、各々直列に接続している。ディップスイッチおよび関連する抵抗の直列回路は、複数の相互に並列に接続されている。ディップスイッチ５１、５３、５５、５７を設定することにより、複数の離散的な抵抗値を設定することができる。
【００５４】
対応する全抵抗は、変圧器２８を介して一次側の測定点１６、２９の個別の抵抗５２、５４、５６で検出することができる。個々の抵抗５２，５４，５６，５８は、それぞれの場合の抵抗値のうちの正確に１つのディップスイッチ５１，５３，５５，５７の全体の様々に可能なスイッチ位置のそれぞれに割り当てられるように選択することができる。つまり、個々の抵抗５２，５４，５６，５８が設定可能な各抵抗値は、ディップスイッチ５１，５３，５５，５７の唯一のスイッチ位置を維持することができるように選択することができるということである。具体的には、個々の抵抗５２，５４，５６，５８は互いにより異なる抵抗値を有することができる。
【００５５】
その他の構成は、二次側の異なる構成を選択するための設定可能な抵抗を提供することが可能である。たとえば、ポテンショメータまたは他の設定可能な抵抗を使用することができる。
【００５６】
図４は、一次側で検出測定量に応じて、二次側の抵抗１５によって設定された選択されたコンフィグレーションの決定を示す。例えば、ハーフブリッジ回路の比較的低電位スイッチがオン状態に切り替えられたときに一次コイル２８を流れる電流のピーク値は、測定量として使用することができる。図４は、二次側の抵抗１５の抵抗値に対応する電流のピーク値５９を図示する。
【００５７】
ハーフブリッジ回路の比較的低電位スイッチがオン状態に切り替えられた場合に、制御装置１４は、一次コイル２８に流れる電流のピーク値を決定するように構成することができる。変圧器の二次側に接続される抵抗１５の抵抗値は、電流のピーク値から決定することができる。この目的のために、図４に示される曲線は、例えば、制御装置１４によって使用される特性の対応する一群を定義するために、使用することができる。
【００５８】
装置２０の一次側７および／または二次側８は、発光手段３への効率的なエネルギー移動を確保するために、および／または、抵抗１５によってもたらされ得る二次側の損失を低く維持するために異なるコンフィグレーションを有することができる。
例えば、二次側８は、エネルギーが抵抗１５を介して選択されたコンフィグレーションが決定された動作段階の間に発光手段３に供給されないように構成することができる。二次側８にはエネルギーが発光手段３に供給されるとすぐに、抵抗１５にエネルギーがもはや供給されないように構成することができる。スイッチング手段は対応する二次側８に設けることができる。
【００５９】
図５は、装置２０のような構成を示している。
図１−４を参照して説明された要素およびデバイスの機能および／または構成の点で対応する要素およびデバイスは、同一の符号を付している。
【００６０】
装置２０は、ハーフブリッジ駆動を有する共振コンバータを有している。ハーフブリッジの比較的低電位スイッチがオン状態である場合に、一次コイル２８に流れる電流に比例する変数は、一次側で検出され且つ二次側の抵抗１５の同定を可能とする測定量として使用できる。
【００６１】
装置２０は、装置の入力電圧を整流する整流器（図５には図示せず）、例えば電源電圧を含み、（図５には図示せず）の力率改善回路に整流された交流電圧Ｖｉｎを提供することができ、装置２０の力率補正回路の出力はＬＬＣ共振コンバータの入力に接続され、ＬＬＣ共振コンバータ用の電源電圧として、力率補正回路によって生成された電圧のＶｂｕｓを提供している。
【００６２】
ハーフブリッジ回路は、制御装置１４のスイッチ２１，２２がＭＯＳＦＥＴの形で、特に、ＦＥＴの形態であることができ、駆動することができる２つの制御スイッチ２１，２２を有している。ハーフブリッジの低電位側に流れる電流ｉｓｎｓは、２次側抵抗１５を同定し、選択されたコンフィギュレーションを同定し、且つ、過電流状態、例えば、後に続く有用な操作中、を同定するために、まず、シャント抵抗２３でモニタすることができる。
直列共振回路として構成することができる共振回路は、スイッチ２１、２２間のノードに接続することができる。共振回路は、例えば、ＬＬＣ直列共振回路二つのインダクタンス２８と２４、キャパシタンス２６を含む、とすることができる。
ＬＬＣ共振回路のインダクタンスは、発光手段にエネルギーを供給するために二次側８に一次側７からエネルギーが移送されることによって、トランスの１次コイル２８とすることができる。スイッチ２１，２２は、制御装置１４によって交互に同期する方式で切り替えられる。
有用な動作の間に、スイッチング周波数および／またはオン時間（「Ｔｏｎの時間」）および／またはスイッチ２１、２２のデッドタイムを設定することにより、ＬＬＣ共振コンバータのゲインが二次側に設定された抵抗と、対応する出力電圧および／または対応する出力電力に割り当てられた出力電流を提供するために設定することができる。
【００６３】
制御装置１４は、抵抗２３の電圧が供給されることができる入力４１を有する。アナログ−デジタル変換を行うことができる。共振コンバータの制御装置を接続するためのそのような接続は、多くの場合、故障状態を同定するために、共振コンバータを制御するために、すでに従来の半導体集積回路に設けられている。これに対応して、制御装置１４は、選択されたコンフィグレーションを同定するための動作段階における二次側にセットされた抵抗１５の同定を実現することができるようにするために、追加の接続ピンを設ける必要がない。ＳＥＬＶ障壁をバイパスするための追加の絶縁体は、制御装置１４によって抵抗１５の同定を可能にするためにも必要としない。コイル２８、２９を有する変圧器は、第１の動作段階において抵抗１５を同定するための変圧装置として使用することができる。
【００６４】
既に述べたように、例えばバス電圧Ｖｂｕｓのような、別の測定量もまた、検出され測定量として、追加してまたは代替として評価することができる。スイッチ２２を（ハーフブリッジの低電位側）に切り替えたときに流れる電流は、この段階の間には、一次コイル２８の電流に関係する。このように、ハーフブリッジの低電位側を流れる電流ｉｓｎｓと、一次コイル２８に流れる電流は、したがって、シャント抵抗２３で検出することができる。電流に電圧を乗じることで電力が得られることからＤＣ−ＤＣコンバータによって消費される電力に関して結論を出すことができるので、このように、例えば一次コイル２８に流れる電流または一次コイル２８に流れる電流のピーク値を評価する際、バス電圧Ｖｂｕｓを現在の値は、スイッチ２２または一次コイル２８を通る電流及びバス電圧Ｖｂｕｓの現在値の情報により推断することができる。
【００６５】
制御装置１４は、ＡＳＩＣまたは他の半導体集積回路として構成することができ、力率補正回路および／または同定された抵抗１５に応じてＬＬＣ共振コンバータを制御するための様々な動作パラメータを設定することができる。
【００６６】
セット抵抗に応じて制御装置によって決定され、別の動作段階において一次側７のスイッチの駆動に対応する制御装置によって使用される動作パラメータは、力率補正回路の少なくとも１つの動作パラメータ、例えば、力率補正回路の電源スイッチが切り替わるスイッチング周波数、を含むことができる。同定された抵抗１５に応じて、制御装置１４によって決定され、別の動作段階において一次側７のスイッチの駆動に対応する制御装置１４によって使用されている動作パラメータは、ＬＬＣ共振コンバータの少なくとも１つの動作パラメータを含むことができる。ＬＬＣ共振コンバータの少なくとも１つの動作パラメータは、スイッチング周波数、ハーフブリッジ内のスイッチ２１、２２のオン時間（「Ｔｏｎの時間」）および／またはオフ時間（「Ｔｏｆｆの時間」）および／またはデッドタイムを含むことができる。代替として、または加えて、制御装置は、同定された抵抗１５に応じてＬＬＣ共振コンバータの動作モードを選択することができる。例えば、ＬＬＣ共振コンバータは、同定された抵抗１５に応じて、選択的に、ハーフブリッジ駆動パルス動作または非パルス動作が行われるような方法で制御することができる。その結果、制御装置１４は、二次側に設定された抵抗値に割り当てられた出力電流および／または二次側設定された抵抗値に割り当てられた出力電力および／または二次側に設定された抵抗値に割り当てられた出力電圧が発光手段３に供給されるように操作装置を制御することができる。
【００６７】
二次側８は、第１のスイッチング手段３６と第２のスイッチ３７を有する。第１のスイッチング手段３６と第２のスイッチ３７手段は、それぞれ、電界効果トランジスタ（ＦＥＴ）、特にＭＯＳＦＥＴ、を含むことができる。二次側８は、抵抗１５が同定されることが意図されている動作段階において、第１のスイッチ３６がオン状態であるように構成することができる。二次側８は、抵抗１５が同定されることが意図された動作段階において、第２のスイッチング手段３７がオフ状態であるように構成することができる。このように、発光手段３を流れる電流によってもたらされ得る、二次側にセットされた抵抗の同定における歪みのリスクは、例えば、減少させることができる。二次側８は、別の動作段階、すなわち有用な動作中に、第２のスイッチング手段３７がオン状態であるように構成されている。二次側８は、別の動作段階、すなわち有用な動作中に、第１のスイッチング手段３６がオフ状態であるように構成することができる。このように、抵抗１５での損失は、有用な動作中に低減することができる。二次側８は、制御装置１４が抵抗１５によって設定されたコンフィギュレーションを同定するために予め設定された動作パラメータでハーフブリッジ回路を駆動するように、第１のスイッチング手段３６は自動的に最初の期間の後にオン状態からオフ状態に切り替わるように構成することができる。更に詳細に説明するように、この目的のため、対応する充電用キャパシタを使用することができる。二次側８は、第２のスイッチング手段３７は自動的に最初の期間と少なくとも同じ長さである第２の期間の後にオフ状態からオン状態に切り替えられるように構成することができる。更に詳細に説明するように、この目的のため、対応する充電用キャパシタを使用することができる。
【００６８】
第１のスイッチング手段３６、第２のスイッチング手段３７及び抵抗１５は、発光手段のための操作装置で提供することができる。さらなる構成では、第１のスイッチング手段３６、第２のスイッチング手段３７及び抵抗１５は、例えば、ＬＥＤモジュールに組み込むことができる。さらに別の構成では、第１のスイッチング手段３６及び抵抗１５は、操作装置内に配置することができ、第２のスイッチング手段３７は、ＬＥＤモジュールに統合することができる。さらに別の構成では、抵抗１５のみが、ＬＥＤモジュールに統合することができ、第１のスイッチング手段３６及び第２のスイッチング手段３７は、発光手段のための操作装置を提供することができる。
【００６９】
典型的な実施形態による操作装置の他の構成も同様に使用することができる。例えば、変換器の他のタイプを使用することができる。
【００７０】
図６は、典型的な実施例による方法６０のフローチャートを示す。この方法は、制御装置１４が対応する制御および評価機能を実行する、典型的な実施形態による装置を使用して自動的に実施することができる。
【００７１】
６１において、装置が起動される。装置の起動後、６２で装置が所定の動作パラメータに応じて制御される。これらの所定の動作パラメータは、例えば、ハーフブリッジ駆動用のプリセット、固定スイッチング周波数を含むことができる。変圧器の二次コイルに接続された抵抗に対応する測定量は、この動作段階中に測定装置の一次側で検出される。
【００７２】
６３では、測定量は、二次側の抵抗を介して設定される装置のコンフィグレーションを同定するために評価される。選択されたコンフィグレーションの同定は、ハーフブリッジ回路の分岐を流れる電流のピーク値の測定値を含むことができる。
【００７３】
６４において、装置の少なくとも１つの動作パラメータは、一次側で検出された測定量に基づいて、その後の別の動作段階に対して決定される。これは、例えば、少なくとも１つのテーブルのクエリの結果として、特性の一群に基づいて行うことができる。これは、装置の動作パラメータは、現在の６３で決定されたピーク値の関数として格納されて使用される特徴の少なくとも１つの一群のために用いることも可能である。複数の、特性の一群、例えば６３で決定された電流のピーク値と抵抗値のうちの１つとの関係を描く第１の特性の一群、及び抵抗値とそれぞれの場合における動作パラメータとの間の関係を描く第２の特性の一群、を用いることもできる。６４で決定された動作パラメータは、固定の二次側に設定された抵抗値にそれぞれ割り当てられている装置の、異なる出力電流および／または出力電力および／または出力電圧をもたらすように選択することができる。
【００７４】
６５では、この抵抗は、その後の別の動作段階において、この動作のための異なるコンフィグレーションが選択可能であると共に、抵抗を流れる電流がもはや存在しないような方法で、二次側で二次コイルから切り離される。６５において、装置の出力は、その後の別の動作段階における発光手段へのエネルギーの供給を可能にするために、二次コイルにつなぐことができる。
【００７５】
６６において、制御デバイスは、６４で決定した動作パラメータに応じて、この装置を制御する。制御装置は、選択可能な出力電流を複数の出力電流が、抵抗を介して選択されたコンフィグレーションに対応する設定されているように、一次側回路の少なくとも一つの電源スイッチを制御することができる。代替として、または加えて、制御装置は、抵抗を介して選択されたコンフィグレーションに対応して、選択可能な複数の出力電力のうちの１つの出力電力が設定されているように、一次側回路の少なくとも一つの電源スイッチを制御することができる。代替として、または加えて、制御装置は、抵抗を介して選択されたコンフィグレーションに対応して、選択可能な複数の出力電圧のうちの１つの出力電圧が設定されているように、一次側回路の少なくとも一つの電源スイッチを制御することができる。６６での装置の制御は、力率補正回路の制御および／またはハーフブリッジ駆動に共振コンバータのスイッチの制御を含むことができる。
【００７６】
図７は、典型的な実施形態に従った装置に使用可能な制御装置１４のブロック図である。制御装置１４は、半導体集積回路、特に特定用途向け集積半導体回路（ＡＳＩＣ）、として構成することができる。
【００７７】
制御装置１４は、制御信号を生成するために制御ロジック６８を有し、装置の一次側回路を制御するために出力４２−４４を介して前記制御信号を出力する。例えば、力率補正回路の電源スイッチの制御信号は、制御ロジック６８により生成された信号を、制御出力４４を介して出力することができる。例えば、ハーフブリッジ駆動用の制御信号は、制御ロジック６８によって生成される制御信号を、出力４２、４３を介して出力することができる。例えば、力率補正回路によって提供されるバス電圧は、入力４５で監視することができる。
【００７８】
制御装置１４の入力４１は、例えば、ハーフブリッジ回路の分岐における電流に対応する測定量を受けるように構成されている。このような電流は、ハーフブリッジの低電位側のスイッチ２２がオン状態に切り替えられたとき、一次コイル２８に流れている電流に対応することができる。
【００７９】
制御ロジック６８は、動作段階で装置の起動後に検出された電流のピーク値を決定することができる。この動作段階では、二次側で抵抗２５を同定するために、この電流を監視することができる。電流のピーク値に応じて、特性の一群６９に関してクエリを行うことができる。その結果、少なくとも１つの動作パラメータは、制御ロジック６８は、操作デバイスの一次側の構成要素を制御するために、別の動作段階で制御信号を生成するに応じて、決定することができる。
【００８０】
図５を参照して説明したように、典型的な実施形態による装置の二次側８は、抵抗１５によって設定されたコンフィグレーションが同定される動作段階において、エネルギーはまだ発光手段に供給されないような方法で構成することができる。二次側８はまた、有用な動作中に、すなわち、さらに動作段階において、もはや電流が抵抗１５を流れないように構成することができる。典型的な実施形態に従った装置で使用することができる二次側の実装は、図８及び図９を参照して説明する。理解を深めるために、発光手段３は、このケースでは、他のケースと同様に模式的に図示する。
【００８１】
図８は、装置は、発光手段３に接続されている例示的な実施形態に従った装置の二次側７０の部分の回路図を示す。二次側は、第１のＭＯＳＦＥＴ７５を有する第１のスイッチ手段と、第２のＭＯＳＦＥＴ８０を有する第２のスイッチ手段とを有する。抵抗１５を分離するための第１のＭＯＳＦＥＴ７５は、ｐチャネルＭＯＳＦＥＴとすることができ、発光手段を連結する第２のＭＯＳＦＥＴ８０は、その逆のｎチャネルＭＯＳＦＥＴとすることができ、逆も同様にできる。
【００８２】
自動的に所定時間後に抵抗１５を分離するために、充電用キャパシタ７３は、第１のＭＯＳＦＥＴ７５のゲートに接続されて、提供される。充電用キャパシタ７３は、出力キャパシタ３４と並列に接続され、抵抗７１，７２を有する分圧器を介して充電することができる。第１のＭＯＳＦＥＴ７５のゲートを保護するために、ツェナーダイオード７４は、第１のＭＯＳＦＥＴ７５のゲートに接続されて提供することができる。
【００８３】
抵抗７１，７２を有する分圧器、充電用コンデンサ７３及び第１のＭＯＳＦＥＴ７５は、この場合、制御装置が所定の動作パラメータを、選択されたコンフィグレーションを決定するための動作段階における装置を制御する際に、ＭＯＳＦＥＴ７５は、最初の期間の後にオフ状態に切り替えられるように構成される。この最初の期間は、数ミリ秒、例えば、１０ミリ秒以上１０ミリ秒、とすることができる。
【００８４】
所定時間だけ後に自動的に発光手段３へのエネルギーの供給を開始するため、第２のＭＯＳＦＥＴ８０のゲートに接続された別の充電用コンデンサ７８が設けられている。別の充電用コンデンサ８０は、出力コンデンサ３４と並列に接続され、抵抗７６，７７を有する分圧器を介して充電することができる。第２のＭＯＳＦＥＴ８０のゲートを保護するために、更なるツェナーダイオード７９を提供することができる。
【００８５】
抵抗７６，７７を有する分圧器、別の充電用キャパシタ７８及び第２のＭＯＳＦＥＴ８０は、この場合、制御装置が所定の動作パラメータを、選択されたコンフィグレーションを決定するための動作段階における装置を制御する際に、第２のＭＯＳＦＥＴ８０は、第２の期間の後にオン状態に切り替えられるように構成される。この第２の期間は、第１の時間期間に等しいか、または第１のＭＯＳＦＥＴ７５がオフ状態に切り替えられた後の最初の期間よりも大きくすることができる。
【００８６】
この装置の一次側１４上の制御デバイスは、第１の時間が経過した後、または第２の期間が経過すると、抵抗１５によって選択されたコンフィグレーションに対応し、このコンフィグレーションのために決定された動作パラメータ、例えば、スイッチング周波数、を使用する、自動的に選択されたコンフィグレーションに対応する装置の制御を開始するように構成することができる。
【００８７】
装置の動作中に、二次側７０のこのコンフィグレーションは、抵抗１５によって設定されたコンフィグレーションが決定される動作段階中に、最初のセクション８１では、トランスの２次側として有効な負荷として作用し、効果を有する。エネルギーはまだ発光手段３に供給されていない。その後のさらなる動作段階中に、有用な動作、すなわち、第一のセクション８１は、効果的にスイッチオフされ、発光手段３への電流の供給は、第二セクション８２で行われる。
【００８８】
図８を参照して説明したように、二次側のコンフィグレーションでは、ロジックが二次側７０で抵抗１５を積極的に分離する必要はない。
【００８９】
図９は、発光手段３に接続されている例示的な実施形態に従った装置の二次側９０の部分の回路図を示す。
二次側は、第１のＭＯＳＦＥＴ７５を有する第一のスイッチ手段と、第２のＭＯＳＦＥＴ８０を有する第２のスイッチ手段とを有する。抵抗１５を分離するための第１のＭＯＳＦＥＴ７５は、ｐチャネルＭＯＳＦＥＴとすることができ、発光手段を連結する第２のＭＯＳＦＥＴ８０は、その逆のｎチャネルＭＯＳＦＥＴとすることができ、逆も同様にできる。
【００９０】
自動的に所定時間後に抵抗１５を分離するために、自動的に所定時間後、第２のスイッチ手段を切り替えた後、充電用キャパシタ９３は提供され、充電用キャパシタ９３は、第１のＭＯＳＦＥＴ７５のゲートと第２のＭＯＳＦＥＴ８０のゲートに接続される。充電コンデンサ９３が、出力コンデンサ３４と並列に接続された、抵抗９１、９２からなる分圧器を介して、充電することができる。第１のＭＯＳＦＥＴのゲート７５及び第２のＭＯＳＦＥＴ８０のゲートを保護するために、ツェナーダイオード８４を提供することができる。
【００９１】
抵抗９１，９２からなる分圧器、充電用キャパシタ９３及び第１のＭＯＳＦＥＴ７５は、この場合、制御装置は、所定の操作パラメータで選択されたコンフィギュレーションを決定するための動作段階における装置を制御する場合に、ＭＯＳＦＥＴ７５は、第１の時間期間後にオフ状態に切り替えられるように構成されている。この最初の期間は、例えば１０ミリ秒以上１０ミリ秒、数ミリ秒とすることができる。抵抗９１、９２からなる分圧器、充電用キャパシタ９３及び第２のＭＯＳＦＥＴ８０は、制御装置が、所定の動作パラメータを選択されたコンフィギュレーションを決定するための動作段階で第２の装置を制御する場合に、ＭＯＳＦＥＴ８０は、第２の期間の後にオン状態に切り替えられるように構成されている。第１のＭＯＳＦＥＴ７５がオフ状態に切り替えられた後、この第２の期間は、最初の期間よりも第１の期間よりも短くする、最初の期間と等しくする、または最初の期間よりも第１の期間よりも長くする、ことができる。
【００９２】
装置の二次側の構成は、図８および図９を参照して説明したように、ここで説明する各実施形態に従った装置及び方法に使用することができる。
第１のＭＯＳＦＥＴ、第２のＭＯＳＦＥＴと、特定の期間に自動切り替えに作用する対応コンポーネントとは、この場合には、例えば発光手段のための、操作装置に統合することができる。
【００９３】
典型的な実施形態は、図面を参照して説明してきたが、別の典型的な実施形態で変更を実現することができる。異なる抵抗値に設定することができるオーム抵抗は、装置の二次側に設けることができるが、それは交流抵抗を用いて対応することも可能であり、例えば、使用する装置の動作のための異なるコンフィグレーションを選択するためにユーザ定義された方法で、設定することができる。
【００９４】
ハーフブリッジ回路の分岐のピーク電流は、二次側の抵抗を同定するために使用することができるが、二次側の抵抗または選択したコンフィグレーションを同定するために、他の測定量は、一次側で検出することができる。例えば、ハーフブリッジ回路の分岐における電流の平均値は、有用動作の前の操作段階で選択されたコンフィグレーション、すなわち、例えば、出力電流、を同定するために使用することができる。
【００９５】
インダクタンスとキャパシタンスはそれぞれ、例えばコイルまたはキャパシタの形で、誘導性または容量性の要素で対応することにより形成することができる。しかし、比較的小さなインダクタンス、例えば共振回路のインダクタンス、が漏れインダクタンスとして、形成されうる。同様に、比較的小さいキャパシタンスが漏れキャパシタンスとして形成されうる。
【００９６】
ハーフブリッジ駆動と共に典型的な共振コンバータを参照して典型的な実施形態で説明したＤＣ−ＤＣコンバータは、また、例えば絶縁型フライバック・コンバータ、絶縁型プッシュプルコンバータ、絶縁型ＳＥＰＩＣコンバータ、絶縁型ＣＵＫコンバータ、等の他のクロック・コンバータ回路、または例えば、ステップダウンコンバータ、フライバックコンバータまたはステップアップコンバータなどの非絶縁型コンバータにより形成することができる。原則的に、ＤＣ−ＤＣコンバータは、少なくとも一つのクロック駆動スイッチと少なくとも一つのインダクタンスを有し、このインダクタンスは、磁化され、スイッチによって交互に消磁され、測定量は、制御装置によるＤＣ−ＤＣコンバータ内で検出される。ＤＣ−ＤＣコンバータの出力に接続された抵抗に対応する、検出された測定量を用いて、制御装置は、この抵抗によって設定されたコンフィギュレーションを同定することができる。
【００９７】
本発明はまた、発光手段３にエネルギーを供給するための装置に関し、装置２は、別の発光手段の使用のためにコンフィグレーション可能であり、コンフィグレーションは、装置２の出力に抵抗１５により選択可能であり、そして、装置２は、少なくとも一つのスイッチ２１，２２および制御装置１４を備えたＤＣ−ＤＣコンバータを有し、制御装置１４は、同定された設定されたコンフィグレーションに応じて装置２を制御するために、動作段階中にＤＣ−ＤＣコンバータ内で検出され、別の動作段階での抵抗１５に対応する測定量ｉｓｎｓに対応する抵抗１５によって設定されたコンフィギュレーションを同定するために、少なくとも１つのスイッチ２１，２２のスイッチング動作フェーズにおいて、作用するように構成されている。例えば、スイッチ２１または２２を流れる電流は、検出された測定量ｉｓｎｓとして監視し、評価することができる。別の測定量、例えば、バス電圧Ｖｂｕｓを、付加的に、または、などの代替的に検出された測定量として評価することもできる。
【００９８】
典型的な実施形態による装置は、発光手段のための操作装置、例えば、ＬＥＤコンバータ装置、として利用することができる。
【図１】
0005966078.tif 000002
【図２】
0005966078.tif 000003
【図３】
0005966078.tif 000004
【図４】
0005966078.tif 000005
【図５】
0005966078.tif 000006
【図６】
0005966078.tif 000007
【図７】
0005966078.tif 000008
【図８】
0005966078.tif 000009
【図９】
0005966078.tif 000010